(57)【要約】【課題】タッチパネルの操作性を向上することが可能な電子機器を提供する。【解決手段】電子機器のＣＰＵは、ユーザの指などの操作体がタッチパネルに近接したか否かを判断する（ステップＳ６２０）。当該ＣＰＵは、操作体がタッチパネルに近接したと判断した場合には（ステップＳ６２０においてＹＥＳ）、ユーザに近接位置を視認させるためのオブジェクトを、近接位置に対応する、外部モニタ上の表示領域に表示させる（ステップＳ６２２）。当該ＣＰＵは、操作体がタッチパネルに近接していないと判断した場合には（ステップＳ６２０においてＮＯ）、外部モニタに表示されているオブジェクトの表示を消去させる（ステップＳ６２４）。【選択図】図７
2015158859.tif 000002
【特許請求の範囲】
【請求項１】
電子機器であって、
タッチパネルを備え、前記タッチパネルは、前記電子機器の操作体が近接した当該タッチパネル内の近接位置を検出し、さらに、
前記タッチパネルの表示画面を他の表示機器に表示させるための表示制御部を備え、前記表示制御部は、前記電子機器のユーザに前記近接位置を視認させるためのオブジェクトを、前記近接位置に対応する前記他の表示機器の画面上の表示領域に表示させる、電子機器。
【請求項２】
前記タッチパネルは、前記電子機器と前記操作体との間の距離を計測し、
前記表示制御部は、前記距離に応じたサイズで前記オブジェクトを前記表示領域に表示させる、請求項１に記載の電子機器。
【請求項３】
前記タッチパネルは、前記電子機器と前記操作体との間の距離をさらに計測し、
前記表示制御部は、前記距離に応じた透過率で前記オブジェクトを前記表示領域に表示させる、請求項１に記載の電子機器。
【請求項４】
前記表示制御部は、前記操作体が前記タッチパネルに接触したことに基づいて、前記他の表示機器に表示されている前記オブジェクトの表示を消去させる、請求項１〜３のいずれか１項に記載の電子機器。
【請求項５】
前記表示制御部は、前記タッチパネルが複数の前記近接位置を検出した場合には、複数の前記近接位置の各々に対応する前記他の表示機器の画面上の各位置に前記オブジェクトをそれぞれ表示させ、
複数の前記オブジェクトのそれぞれの表示態様は、互いに異なる、請求項１〜４のいずれか１項に記載の電子機器。
【発明の詳細な説明】
【技術分野】
【０００１】
本開示は電子機器の制御に関し、より特定的には、当該電子機器に近接した操作体を検出する機能を備える電子機器の制御に関する。
【背景技術】
【０００２】
近年、電子機器のユーザの指などの操作体が近接したことを検出することが可能なタッチパネルを備えた電子機器が普及している。たとえば、特許文献１は、「表示面への物体の接触と物体の接近とをそれぞれ検知し、かつ小型化を図ることが可能である」タッチパネルを開示している。当該タッチパネルは、画像を表示させる複数の表示素子と、当該複数の表示素子からの光が近接した物体に当たって反射した光を受ける複数の受光素子とを備える。当該タッチパネルは、複数の受光素子の受光量に応じて、物体の近接を検知する。
【先行技術文献】
【特許文献】
【０００３】
【特許文献１】特開２００７−５２４９７号公報
【発明の概要】
【発明が解決しようとする課題】
【０００４】
特許文献１に開示されるタッチパネルをユーザが用いた場合、当該ユーザは、指を近接させた状態でタッチパネルを操作することになる。この場合、画面がユーザの指で隠れてしまい、ユーザは指で隠れた部分の表示内容を確認することができず、タッチパネルの操作性が悪くなる。また、外部ディスプレイに表示内容を出力している状態であると、外部ディスプレイとタッチパネルを交互に見ながら操作を行う必要がある。したがって、ユーザが指などの操作体を近接させた状態でタッチパネルを操作する場合において、当該タッチパネルの操作性を向上するための技術が必要とされている。
【０００５】
本開示は、上述のような問題点を解決するためになされたものであって、ある局面における目的は、タッチパネルの操作性を向上することが可能な電子機器を提供することである。
【課題を解決するための手段】
【０００６】
一実施の形態に従うと、電子機器は、タッチパネルを備える。タッチパネルは、電子機器の操作体が近接した当該タッチパネル内の近接位置を検出する。電子機器は、さらに、タッチパネルの表示画面を他の表示機器に表示させるための表示制御部を備える。表示制御部は、電子機器のユーザに近接位置を視認させるためのオブジェクトを、近接位置に対応する他の表示機器の画面上の表示領域に表示させる。
【発明の効果】
【０００７】
ある局面において、電子機器は、タッチパネルの操作性を向上することができる。
本発明の上記および他の目的、特徴、局面および利点は、添付の図面と関連して理解される本発明に関する次の詳細な説明から明らかとなるであろう。
【図面の簡単な説明】
【０００８】
【図１】ユーザが表示機器を見ながら、第１の実施の形態に従う電子機器のタッチパネルを操作している様子を示している図である。
【図２】ユーザが指を近接させた状態でタッチパネルを操作している場合の表示機器の表示態様と、ユーザが指をタッチパネルに接触させた状態でタッチパネルを操作している場合の表示機器の表示態様とを示した図である。
【図３】第１の実施の形態に従う電子機器および表示機器の主要なハードウェア構成を示すブロック図である。
【図４】第１の実施の形態に従う電子機器の機能構成を示すブロック図である。
【図５】第１の実施の形態に従う表示機器の機能構成を示すブロック図である。
【図６】第１の実施の形態に従う電子機器が実行する処理の一部を表わすフローチャートである。
【図７】第１の実施の形態に従う電子機器が実行する処理の一部を表わすフローチャートである。
【発明を実施するための形態】
【０００９】
以下、図面を参照しつつ、本実施の形態について説明する。以下の説明では、同一の部品および構成要素には同一の符号を付してある。それらの名称および機能も同じである。したがって、これらについての詳細な説明は繰り返さない。なお、以下で説明される各実施の形態は、選択的に組み合わされてもよい。
【００１０】
＜第１の実施の形態＞
［概要］
図１および図２を参照して、第１の実施の形態に係る電子機器１００の概要について説明する。図１は、ユーザ３０が表示機器２００を見ながら電子機器１００のタッチパネル１５を操作している様子を示している図である。
【００１１】
電子機器１００は、スマートフォン、タブレット端末、デジタルカメラ、ゲーム機、電子辞書、パソコン、ＰＤＡ（Personal  Digital  Assistant）、テレビリモコン、操作体の近接を検出する機能を備えるその他の携帯機器を含む。表示機器２００は、スマートフォン、タブレット端末、デジタルカメラ、ゲーム機、電子辞書、パソコン、ＰＤＡ（Personal  Digital  Assistant）、テレビ、表示機能を備えるその他の表示装置を含む。
【００１２】
電子機器１００は、非接触状態で指示入力を受け付けるためのタッチパネル１５を備える。すなわち、電子機器１００のユーザ３０は、自身の指をタッチパネル１５に近接させた状態でタッチパネル１５を操作することができる。タッチパネル１５は、当該タッチパネルに近接した操作体３１を検出する。当該操作体３１は、たとえば、ユーザの指、操作ペン、その他のタッチパネルを操作するためのものを含む。
【００１３】
電子機器１００は、表示機器２００と無線通信をすることで、電子機器１００に表示されている画面と同一の画面を表示機器２００に表示させることができる（所謂、ミラキャスト（Miracast））。表示機器２００が電子機器１００に表示されている画面と同一の画面を表示することにより、ユーザ３０は、タッチパネル１５ではなく、表示機器２００のモニタ２５を見ながら、タッチパネル１５を操作することが可能になる。これにより、ユーザ３０が自身の指で隠れた部分の表示内容を認識できないということがなくなる。また、表示機器２００は、電子機器１００に表示されている画面内容を複数の人で共有することを可能になる。
【００１４】
図２を参照して、本実施の形態に従う電子機器１００の概要についてさらに説明する。図２は、ユーザ３０が指を近接させた状態でタッチパネルを操作している場合の表示機器２００の表示態様と、ユーザ３０が指を接触させた状態でタッチパネルを操作している場合の表示機器２００の表示態様とを示した図である。
【００１５】
ユーザが表示機器２００のモニタ２５を見ながら電子機器１００の操作を行なう場合には、ユーザ３０は、タッチパネル１５のいずれの位置を指しているのかを認識することが重要である。なぜならば、ユーザ３０がタッチパネル１５のいずれの位置を指しているのかを認識できない場合には、ユーザ３０は、操作しているタッチパネル１５に目を向けなければならないからである。つまり、ユーザ３０は、電子機器１００と表示機器２００とを交互に見なければならなくなり、タッチパネル１５の操作性が低下する。そこで、電子機器１００は、ユーザ３０がタッチパネル１５のいずれの位置を指しているのかをユーザ３０に視認させるためのオブジェクト４０を表示機器２００のモニタ２５に表示する。
【００１６】
より具体的には、図２（Ａ）を参照して、タッチパネル１５は、電子機器１００の操作体３１が近接した当該タッチパネル内の位置（以下、「近接位置」ともいう。）を検出する。ここでいう近接位置とは、タッチパネル１５上に位置する操作体に一番近い表示面上の位置または領域をいう。近接位置は、たとえば、タッチパネル１５上の座標値、または、タッチパネル１５に表示されている画像上の座標値として示される。
【００１７】
電子機器１００は、タッチパネル１５に表示されている画面と同一の画面を表示機器２００に表示させるとともに、タッチパネル１５内の近接位置に対応する表示機器２００のモニタ２５上の表示領域に、ユーザ３０に近接位置を視認させるためのオブジェクト４０を表示する。これにより、ユーザ３０は、自身がタッチパネル１５のいずれの位置を指しているのかを表示機器２００のモニタ２５を見ながら認識できるようになる。したがって、ユーザ３０は、表示機器２００を見ながら電子機器１００を操作することができるようになり、電子機器１００の操作性が向上する。
【００１８】
また、図２（Ｂ）に示されるように、電子機器１００は、操作体３１がタッチパネル１５に接触したことに基づいて、表示機器２００に表示されているオブジェクト４０の表示を当該表示機器２００に消去させるとともに、接触位置に応じた処理を実行する。たとえば、電子機器１００は、選択されたアイコンに関連付けられている機能を実行するとともに、操作体がタッチパネル１５に接触したことを示す画像４１を表示する。その他にも、電子機器１００は、接触位置に応じて、アプリケーション、タップ、ピンチアウト、ピンチイン、その他の処理などを実行する。電子機器１００は、操作体３１がタッチパネル１５に接触したことに基づいてオブジェクト４０を消去することにより、ユーザ３０は、自身の指をタッチパネル１５に接触させ、意図した動作結果が得られることを確認できる。  
【００１９】
なお、図２（Ａ）においては、オブジェクト４０を指の画像として示したが、オブジェクト４０は、カーソル、ポインタ、その他のユーザに近接位置を視認させるための画像などであってもよい。
【００２０】
［ハードウェア構成］
図３を参照して、画像表示システム５０を構成する電子機器１００および表示機器２００のハードウェア構成の一例について説明する。図３は、第１の実施の形態に従う電子機器１００および表示機器２００の主要なハードウェア構成を示すブロック図である。画像表示システム５０は、電子機器１００および表示機器２００を含む。以下では、電子機器１００のハードウェア構成を説明した後に、表示機器２００のハードウェア構成について説明する。
【００２１】
（電子機器１００のハードウェア構成）
図３に示されるように、電子機器１００は、ＲＯＭ（Read  Only  Memory）１１と、ＣＰＵ（Central  Processing  Unit）１２と、ＲＡＭ（Random  Access  Memory）１３と、タッチパネル１５と、通信部１８と、記憶装置１９とを備える。
【００２２】
ＲＯＭ１１は、オペレーティングシステム（ＯＳ：Operating  System）、電子機器１００の起動時に実行される初期プログラム（ブートプログラム）などを格納する。ＣＰＵ１２は、ＲＯＭ１１や記憶装置１９などに格納された、オペレーティングシステムや電子機器１００の制御プログラムなどの各種プログラムを実行することで、電子機器１００の動作を制御する。ＲＡＭ１３は、ＣＰＵ１２でプログラムを実行するためのワーキングメモリとして機能し、プログラムの実行に必要な各種データを一時的に格納する。
【００２３】
タッチパネル１５は、モニタ１６とセンサ１７とを含む。センサ１７は、たとえば、近接センサとして機能し、電子機器１００の操作体が近接したタッチパネル１５内の位置（すなわち、近接位置）と、操作体とタッチパネル１５と間の距離（以下、「近接距離」ともいう）とを検出する。タッチパネル１５は、たとえば、光学式タッチパネル、超音波式タッチパネル、その他の近接した操作体を検出可能なタッチパネルを含む。近接位置および近接距離の検出方法の詳細については後述する。
【００２４】
通信部１８は、無線通信を実現するためのネットワークＩ／Ｆ（図示しない）を含む。ネットワークＩ／Ｆは、アンテナ（図示しない）を介して、他の表示機器とデータの送受信を行なう。他の表示機器は、たとえば、スマートフォン、パソコン、サーバ装置、その他の表示機能を有する装置などである。
【００２５】
通信部１８は、タッチパネル１５に表示されている画面を他の表示機器に表示させる（ミラキャスト）ための画像信号を、アンテナを介して表示機器２００に送信する。ミラキャストは、たとえば、ワイファイアライアンス（Wi-Fi  Alliance）という団体が定めた規格のワイファイ・ダイレクト（Wi-Fi  Direct）を用いて実現される。これにより、無線ＬＡＮのルーターなどを用いずに、ワイファイ（Wi-Fi）機能が搭載されているパソコンやスマートフォンなどの機器を互いに無線接続することができるようになり、ある電子機器に表示されている画面を他の表示機器にリアルタイムに表示させることが可能になる。
【００２６】
なお、通信部１８は、無線通信ではなく有線通信により表示機器２００とデータの送受信を行ってもよい。この場合、通信部１８は、電子機器１００と表示機器２００とを有線で電気的に接続するコネクタを含む。電子機器１００と表示機器２００とは、当該コネクタに接続されたコードを介して電気的に接続され、互いにデータの送受信を行なう。
【００２７】
記憶装置１９は、たとえば、ｅＭＭＣ（Embedded  MultiMediaCard）などの記憶媒体を含む。ｅＭＭＣは、ＮＡＮＤフラッシュメモリと、制御回路とを含む。記憶装置１９は、本実施の形態に従う各種の処理を実現するためのプログラムなどを格納する。また、記憶装置１９は、オペレーティングシステムなどのプログラムを格納していてもよい。
【００２８】
（表示機器２００のハードウェア構成）
以下、図３をさらに参照して、表示機器２００のハードウェア構成について説明する。表示機器２００は、ＣＰＵ２２と、モニタ２５と、通信部２８と、記憶装置２９とを備える。
【００２９】
ＣＰＵ２２は、ＲＯＭや記憶装置２９などに格納された、オペレーティングシステムや表示機器２００の制御プログラムなどの各種プログラムを実行することで、表示機器２００の動作を制御する。
【００３０】
通信部２８は、電子機器１００から送信された画像信号を受信する。通信部２８は、たとえば、ワイファイ（Wi-Fi）機能を含む。これにより、表示機器２００は、電子機器１００との無線通信を実現する。なお、通信部２８は、有線通信を実現するためのコネクタを含んでもよい。この場合、電子機器１００と表示機器２００とは、コネクタに接続されたコードを介して電気的に接続され、互いにデータの送受信を行なう。モニタ２５は、電子機器１００から送信された画像信号に基づいて、電子機器１００に表示されている画像と同一の画像を表示する。
【００３１】
記憶装置２９は、たとえば、ｅＭＭＣ（Embedded  MultiMediaCard）などの記憶媒体を含む。ｅＭＭＣは、ＮＡＮＤフラッシュメモリと、制御回路とを含む。記憶装置２９は、本実施の形態に従う各種の処理を実現するためのプログラムなどを格納する。また、記憶装置２９は、オペレーティングシステムなどのプログラムを格納していてもよい。
【００３２】
なお、表示機器２００は、ＲＯＭ、ＲＡＭ、その他のメモリを備えてもよい。たとえば、ＲＯＭは、表示機器２００のオペレーティングシステム（ＯＳ：Operating  System）、表示機器２００の起動時に実行される初期プログラム（ブートプログラム）などを格納してもよい。ＲＡＭは、ＣＰＵ２２でプログラムを実行するためのワーキングメモリとして機能してもよく、プログラムの実行に必要な各種データを一時的に格納してもよい。
【００３３】
［機能構成］
（電子機器１００の機能構成）
図４を参照して、電子機器１００の機能構成の一例について説明する。図４は、電子機器１００の機能構成を示すブロック図である。ＣＰＵ１２は、特定部１１０と、表示制御部１２０とを含む。
【００３４】
特定部１１０は、タッチパネル１５を構成するセンサ１７の出力から近接位置および近接距離を特定する。特定部１１０が近接位置および近接距離を特定するための手段として様々な方法がある。以下では、これらの方法について、タッチパネル１５の方式の説明と共に行なう。その次に、表示制御部１２０の説明を行なう。タッチパネル１５は、上述したように、たとえば、光学式タッチパネル、超音波式タッチパネル、その他の近接した操作体を検出可能なタッチパネルを含む。
【００３５】
光学式タッチパネルにおいては、複数の発光素子および複数の受光素子がタッチパネルの表示面の周囲にセンサ１７として配置される。当該複数の発光素子は、それぞれがタッチパネル上において網目状に赤外光を放射するように配置される。受光素子は、発光素子から放射された赤外光のうち、指などの操作体で反射した赤外光を受光する。これにより、光学式タッチパネルは、当該タッチパネルから離れた位置に物体が近付いたことを検出することができる。すなわち、ユーザは、タッチパネルの表面に接触しなくとも、電子機器１００を操作することが可能になる。
【００３６】
赤外光は、タッチパネル上に網目状に放射されているので、特定部１１０は、操作体によって赤外光が遮られた位置を受光素子の出力から特定できる。特定部１１０は、赤外光が遮られたタッチパネル上の位置を近接位置とする。また、特定部１１０は、受光素子が受光する赤外光の光量に応じて近接距離を特定する。より具体的には、近接距離は、受光素子の受光量が多くなれば短くなるように特定され、受光素子が受光する光量が少なくなれば長くなるように特定される。
【００３７】
その他の光学式タッチパネルにおいては、タッチパネルの表示面の近傍に２つのカメラ（イメージセンサ）がセンサ１７として配置される。特定部１１０は、２つのカメラの視差情報を用いて三角測量の原理によって操作体の３次元上の位置を算出する。特定部１１０は、算出された操作体の位置から近接位置および近接距離を特定する。
【００３８】
超音波式タッチパネルにおいては、超音波を発信する発信源（スピーカなど）と超音波を受信する受信源（マイクなど）とがタッチパネルの表示面の近傍にセンサ１７として配置される。受信源は、発信源から発信された超音波のうち指などの操作体で反射した超音波を受信する。これにより、超音波式タッチパネルは、当該タッチパネルから離れた位置に物体が近付いたことを検出することができる。特定部１１０は、超音波を発信してから受信するまでの時間により近接位置および近接距離を特定する。より具体的には、近接距離は、当該時間が長くなれば近接距離が短くなるように特定され、当該時間が短くなれば近接距離が長くなるように特定される。
【００３９】
なお、特定部１１０は、受信源が受信する超音波の強度の変化に応じて近接距離を検出してもよい。より具体的には、近接距離は、受信源が受信する超音波の強度が大きくなれば短くなるように特定され、受信源が受信する超音波の強度が小さくなれば長くなるように特定される。
【００４０】
表示制御部１２０は、タッチパネル１５の表示画面を表示機器２００に表示させる。また、表示制御部１２０は、電子機器１００のユーザに近接位置を視認させるためのオブジェクトを、当該近接位置に対応する表示機器２００の画面上の表示領域に表示させる。より具体的には、表示制御部１２０は、タッチパネル１５に現在表示されている画像上の近接位置にオブジェクトを合成した合成画像を、通信部１８を介して表示機器２００に送信する。なお、表示制御部２１０は、合成画像を送信する前に、表示機器２００に合成画像を表示させるために、表示機器２００のモニタ２５の解像度に合わせて合成画像を調整してもよい。
【００４１】
また、表示制御部１２０は、操作体がタッチパネルに接触したことに基づいて、表示機器２００に表示されているオブジェクトの表示を当該表示機器２００に消去させる。表示制御部１２０は、たとえば、近接距離が０になった場合か、または、予め定められた距離よりも小さくなった場合に、操作体がタッチパネルに接触したと判断する。
【００４２】
なお、タッチパネル１５が複数の操作体の近接を検出した場合には、表示制御部１２０は、複数のオブジェクトを表示機器２００に表示させてもよい。より具体的には、タッチパネル１５が複数の近接位置を検出した場合には、表示制御部１２０は、複数の近接位置の各々に対応する表示機器２００のモニタ２５上の各位置にオブジェクトをそれぞれ表示させる。このとき、表示制御部１２０は、各オブジェクトの表示態様が互いに異なるように表示させる。たとえば、タッチパネル１５が親指および人差し指の近接を検出した場合には、表示制御部１２０は、表示するオブジェクトとして親指の画像と人差し指の画像とを表示機器２００に表示させる。これにより、ユーザは、いずれの指がいずれの位置に近接させているかを一見して認識できるようになる。
【００４３】
また、合成画像は、電子機器１００側ではなく、表示機器２００側で生成されてもよい。この場合、表示制御部１２０は、タッチパネル１５に表示されている画像データとともに近接位置を表示機器２００に送信する。表示機器２００は、受信した画像データ内の近接位置にオブジェクトを合成する。
【００４４】
（表示機器２００の機能構成）
図５を参照して、表示機器２００の機能構成の一例について説明する。図５は、表示機器２００の機能構成を示すブロック図である。ＣＰＵ２２は、表示制御部２１０を含む。
【００４５】
表示制御部２１０は、電子機器１００から受信した合成画像をモニタ２５に表示する。なお、合成画像は、上述したように、電子機器１００側ではなく、表示機器２００側で生成されてもよい。この場合、表示制御部２１０は、受信した画像データから生成した画像内の近接位置にオブジェクトを合成する。
【００４６】
また、表示制御部２１０は、表示機器２００のモニタ２５に表示するために、電子機器１００から受信した合成画像を調整する。たとえば、表示制御部２１０は、表示機器２００のモニタ２５のサイズまたは解像度に合わせて合成画像を拡大または縮小する。なお、表示制御部２１０による合成画像の調整は、電子機器１００側で行なわれてもよい。
【００４７】
［制御構造］
図６および図７を参照して、電子機器１００の制御構造について説明する。図６および図７は、電子機器１００が実行する処理の一部を表わすフローチャートである。図６および図７の処理は、ＣＰＵ１２がプログラムを実行することにより実現される。他の局面において、処理の一部又は全部が、回路素子その他のハードウェアによって実行されてもよい。図６および図７の処理は、たとえば、ＣＰＵ１２によって並行して実行される。
【００４８】
まず、図６を参照して、外部モニタ（表示機器２００のモニタ２５）に画像を出力するための処理のフローについて説明する。ステップＳ５１０において、ＣＰＵ１２は、タッチパネル１５に表示されている画像の表示機器２００への出力を開始する。たとえば、ＣＰＵ１２は、外部モニタとの接続を検出したことに基づいて表示画像の出力を開始する。
【００４９】
ステップＳ５２０において、ＣＰＵ１２は、操作体の近接を検出するための近接機能が無効であるか否かを判断する。ＣＰＵ１２は、近接機能が無効であると判断した場合には（ステップＳ５２０においてＹＥＳ）、制御をステップＳ５２２に切り替える。そうでない場合には（ステップＳ５２０においてＮＯ）、ＣＰＵ１２は、制御をステップＳ５２４に切り替える。ステップＳ５２２において、ＣＰＵ１２は、近接機能を有効にする。
【００５０】
ステップＳ５２４において、ＣＰＵ１２は、電子機器１００の動作状態を「外部モニタに出力中」にする。ステップＳ５３０において、ＣＰＵ１２は、外部モニタへの出力を終了するか否かを判断する。たとえば、ＣＰＵ１２は、外部モニタへの出力を終了する命令を受けた場合に外部モニタへの出力を終了すると判断する。ＣＰＵ１２は、外部モニタへの出力を終了すると判断した場合には（ステップＳ５３０においてＹＥＳ）、制御をステップＳ５３２に切り替える。そうでない場合には（ステップＳ５３０においてＮＯ）、ＣＰＵ１２は、ステップＳ５３０の処理を再び実行する。ステップＳ５３２において、ＣＰＵ１２は、外部モニタへの出力を終了する。
【００５１】
次に、図７を参照して、タッチパネル１５がユーザ操作を受け付けた場合の処理のフローについて説明する。ステップＳ６１０において、ＣＰＵ１２は、電子機器１００の動作状態が「外部モニタに出力中」であるか否かを判断する。ＣＰＵ１２は、電子機器１００の動作状態が「外部モニタに出力中」であると判断した場合には（ステップＳ６１０においてＹＥＳ）、制御をステップＳ６２０に切り替える。そうでない場合には（ステップＳ６１０においてＮＯ）、ＣＰＵ１２は、制御をステップＳ６２６に切り替える。
【００５２】
ステップＳ６２０において、ＣＰＵ１２は、特定部１１０として、操作体がタッチパネル１５に近接している状態であるか否かを判断する。ＣＰＵ１２は、たとえば、近接距離が予め定められた距離よりも小さくなった場合に、操作体がタッチパネル１５に近接している状態であると判断する。ＣＰＵ１２は、操作体がタッチパネル１５に近接している状態であると判断した場合には（ステップＳ６２０においてＹＥＳ）、制御をステップＳ６２２に切り替える。そうでない場合には（ステップＳ６２０においてＮＯ）、ＣＰＵ１２は、制御をステップＳ６２４に切り替える。
【００５３】
ステップＳ６２２において、ＣＰＵ１２は、表示制御部１２０として、近接位置に対応する外部モニタ上の表示領域にオブジェクトを表示させる。より具体的には、ＣＰＵ１２は、電子機器１００に表示されている画像にオブジェクトを合成した合成画像を、通信部１８を介して表示機器２００に送信し、外部モニタ上に合成画像を表示させる。ステップＳ６２４において、ＣＰＵ１２は、表示制御部１２０として、外部モニタに表示しているオブジェクトの表示を消去させる。または、ＣＰＵ１２は、電子機器１００に現在表示されている表示画像で外部モニタの表示を上書きさせる。ステップＳ６２６において、ＣＰＵ１２は、タッチパネルに対するユーザ操作によって発生するイベントを監視する。
【００５４】
［小括］
以上のようにして、本実施の形態に従う電子機器１００は、タッチパネル１５の表示画面を表示機器２００に表示させるとともに、ユーザに近接位置を視認させるためのオブジェクトを表示機器２００に表示させる。これにより、ユーザは、自身の指をタッチパネル１５のいずれの位置に近接させているかを表示機器２００で確認できるようになる。したがって、ユーザは、表示機器２００を見ながら電子機器１００を操作できるようになり、電子機器１００の操作性が向上する。
【００５５】
また、電子機器１００は、操作体がタッチパネルに接触した場合には、表示機器２００に表示しているオブジェクト４０の表示を消去させる。これにより、ユーザ３０は、自身の指をタッチパネル１５に接触させ、意図した動作が得られることを確認できる。さらに、電子機器１００に表示されている画面と同一の画面が、電子機器１００よりも画面が大きい表示機器２００に表示されることにより、複数の人で電子機器１００の表示内容を共有できるようになる。さらに、電子機器１００に表示されている画面と同一の画面が、電子機器１００よりも画面が大きい表示機器２００に表示されることにより、ユーザが画面を見易くなる。
【００５６】
＜第２の実施の形態＞
［概要］
以下、第２の実施の形態に従う電子機器１００Ａの概要について説明する。電子機器１００Ａは、近接距離に応じてオブジェクトの表示サイズを変える点で、第１の実施の形態に従う電子機器１００とは異なる。ハードウェア構成などのその他の点については第１の実施の形態に従う電子機器１００と同じであるので、説明を繰り返さない。
【００５７】
電子機器１００Ａの表示制御部１２０は、近接位置に対応する表示機器２００のモニタ２５上の領域に、近接距離に応じたサイズでオブジェクトを表示させる。より具体的には、表示制御部１２０は、近接距離が短いほどオブジェクトのサイズを大きくし、近接距離が長いほどオブジェクトのサイズを小さくする。なお、表示制御部１２０は、近接距離が短いほどオブジェクトのサイズを小さくし、近接距離が長いほどオブジェクトのサイズを大きくしてもよい。
【００５８】
［小括］
以上のようにして、本実施の形態に従う電子機器１００Ａは、近接距離に応じてオブジェクトのサイズを変えるので、ユーザは、自身の指がタッチパネルからどれくらい離れているのかを一見して理解できるようになる。これにより、表示機器２００を見ながら電子機器１００Ａを操作できるようになるため、電子機器１００Ａの操作性がさらに向上する。
【００５９】
＜第３の実施の形態＞
［概要］
以下、第３の実施の形態に従う電子機器１００Ｂの概要について説明する。電子機器１００Ｂは、近接距離に応じてオブジェクトの透過率を変える点で、第１の実施の形態に従う電子機器１００とは異なる。ハードウェア構成などのその他の点については第１の実施の形態に従う電子機器１００と同じであるので、説明を繰り返さない。
【００６０】
電子機器１００Ｂの表示制御部１２０は、近接位置に対応する表示機器２００のモニタ２５上の領域に、近接距離に応じた透過率でオブジェクトをさせる。より具体的には、表示制御部１２０は、近接距離が短いほどオブジェクトの透過率を下げ、近接距離が長いほどオブジェクトの透過率を上げる。すなわち、オブジェクトは、近接距離が短いほど濃く表示され、近接距離が長いほどうすく表示される。
【００６１】
なお、表示制御部１２０は、近接距離が短いほどオブジェクトの透過率を上げ、近接距離が長いほどオブジェクトの透過率を下げてもよい。すなわち、オブジェクトは、近接距離が短いほど薄く表示され、近接距離が長いほど濃く表示されてもよい。
【００６２】
［小括］
以上のようにして、本実施の形態に従う電子機器１００Ｂは、近接距離に応じてオブジェクトの透過率を変えるので、ユーザは、自身の指がタッチパネルからどれくらい離れているのかを一見して理解できるようになる。これにより、表示機器２００を見ながら電子機器１００Ｂを操作できるようになるため、電子機器１００Ｂの操作性がさらに向上する。また、電子機器１００Ｂは、オブジェクトを透過して表示するので、ユーザは、オブジェクトの後ろに表示されている内容を視認できるようになる。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６４】
１１  ＲＯＭ、１２，２２  ＣＰＵ、１３  ＲＡＭ、１５  タッチパネル、１６，２５  モニタ、１７  センサ、１８，２８  通信部、１９，２９  記憶装置、３０  ユーザ、３１  操作体、４０  オブジェクト、４１  画像、５０  画像表示システム、１００，１００Ａ，１００Ｂ  電子機器、１１０  特定部、１２０，２１０  表示制御部。
【図１】
2015158859.tif 000003
【図２】
2015158859.tif 000004
【図３】
2015158859.tif 000005
【図４】
2015158859.tif 000006
【図５】
2015158859.tif 000007
【図６】
2015158859.tif 000008
【図７】
2015158859.tif 000009